(57)【特許請求の範囲】
【請求項１】
室外機と壁に設けられた冷媒配管穴を介して冷媒配管接続される室内機を前記壁に据付ける板状の壁掛型空気調和機の据付装置において、
前記冷媒配管穴の高さ方向形成位置を示す第１マーク及び横方向形成位置を示す第２マークからなるマーク部と、
概略「コ」字状に切込されて幅方向に折曲げ可能に形成されると共に、前記第２マークが形成された舌状片とを有して、該舌状片を幅方向に折曲げた際に、前記第２マークが示す方向と前記第１マークが示す方向との交点が前記冷媒配管穴の形成位置を示し、かつ、
前記据付装置が、前記室内機より小さく形成されると共に、前記舌状片を幅方向に折曲げた際には、当該舌状片の幅方向先端が前記室内機より所定量小さくなるように形成されていることを特徴とする壁掛型空気調和機の据付装置。
【請求項２】
前記マーク部及び舌状片が、前記据付装置の左右側端部近傍に設けられ、かつ、前記第２マークの形成位置が左右非対称に形成されていることを特徴とする請求項１記載の壁掛型空気調和機の据付装置。
【請求項３】
前記据付装置の鉛直中央線上に仮止穴が形成されてなることを特徴とする請求項１又は２記載の壁掛型空気調和機の据付装置。
【発明の詳細な説明】
【０００１】
【発明の属する技術分野】
本発明は、冷媒配管穴の形成位置が据付装置により容易に位置決めできるようにした壁掛型空気調和機の据付装置に関する。
【０００２】
【従来の技術】
一般的な壁掛型空気調和機は、圧縮機、室外熱交換機及び減圧器等を有した室外機と、室内熱交換機等を有した室内機により構成され、室外機と室内機とは冷媒配管により連結されて冷媒が循環するようになっている。
【０００３】
この室内機は、室内の壁に固定された据付装置に係合させることにより据付けることが多い。従って、壁には冷媒配管を通す冷媒配管穴を設ける必要がある。
【０００４】
従来、かかる冷媒配管穴の形成位置は、スケールを用いて位置決めしたり、据付装置を冷媒配管穴が含まれる大きさに形成して、冷媒配管穴の位置を示す穴を予め設けておくこと等により行われている。
【０００５】
【発明が解決しようとする課題】
しかしながら、室内機が天井や横壁に近接して据付けられることが多いため、スケールを用いる際の作業性が悪くなり計測ミスが生じ易い等の問題があった。
【０００６】
また、据付装置を冷媒配管穴が含まれるような大きな寸法にする場合には、部材コストをアップさせると共に、据付装置が重くなるため作業性が悪くなる問題があった。
【０００７】
そこで、本発明は、据付装置を必要最小限の大きさにすると共に、スケール等を用いなくても冷媒配管穴の位置決めが容易にできるようにした壁掛型空気調和機の据付装置を提供することを目的とする。
【０００８】
【課題を解決するための手段】
上記課題を解決するため、請求項１にかかる発明は、室外機と壁に設けられた冷媒配管穴を介して冷媒配管接続される室内機を壁に据付ける板状の壁掛型空気調和機の据付装置において、冷媒配管穴の高さ方向形成位置を示す第１マーク及び横方向形成位置を示す第２マークからなるマーク部と、概略「コ」字状に切込されて幅方向に折曲げ可能に形成されると共に、第２マークが形成された舌状片とを有して、該舌状片を幅方向に折曲げた際に、第２マークが示す方向と第１マークが示す方向との交点が冷媒配管穴の形成位置を示し、かつ、据付装置が、室内機より小さく形成されると共に、舌状片を幅方向に折曲げた際には、当該舌状片の幅方向先端が室内機より所定量小さくなるように形成されるように設けて、据付装置を必要最小限の大きさにすると共に、スケール等を用いなくても冷媒配管穴の位置決めが容易にできるようにしたことを特徴とする。
【００１０】
請求項２にかかる発明は，マーク部及び舌状片を据付装置の左右側端部近傍に設け、かつ、第２マークの形成位置を左右非対称に形成して、冷媒配管穴の位置を室内機に対して左右いずれにも形成できるようにしたことを特徴とする。
【００１１】
請求項３にかかる発明は、据付装置の鉛直中央線上に仮止穴を形成して、据付装置の固定作業を容易にしたことを特徴とする。
【００１２】
【発明の実施の形態】
本発明の実施の形態を図を参照して説明する。図１は本発明にかかる据付装置１０の正面図、図２は当該据付装置１０に室内機５を据付けた際の様子を示す断面図である。また、図３は当該据付装置１０を用いて冷媒配管穴６の形成位置をマークする際の手順を示す図である。なお、図３においては室内機５及び冷媒配管穴６との位置関係を明確にするためこれらを点線で示している。
【００１３】
据付装置１０の上端左右には、室内機５の係合部材７と係合する上係合片１１が設けられ、下端左右には下係合片１２が設けられて、これらが据付装置１０の略周辺端部に形成されている。
【００１４】
これにより据付装置１０の幅及び高さ寸法を最小限の大きさにすることができて、据付装置１０の小型化及び軽量化が可能になると共に、部材費を安くすることができるようになっている。
【００１５】
また、据付装置１０の鉛直方向中央線上には、仮止穴１３が形成されると共に、据付装置１０を壁２にネジ止めする際の固定用の貫通穴１４が複数適宜箇所に形成されている。無論、図示した貫通穴１４の全てを用いてネジ止めしなければならないということはなく、ネダ等の間隔に合わせて適宜選択して用いればよい。
【００１６】
なお、図１又は図３に示す符号Ｐは、室内側に向って盛上げ形成された室内機背宛である。室内機５は上述したように上係合片１１や下係合片１２により固定されるが、室内機５の筐体全体は固定されていない。このため、例えば室内機５に内蔵されているクロスフローファン８等の震動が筐体で共振してしまい大きな騒音を発生させる場合がある。そこで、据付装置１０に室内機背宛Ｐを設けることにより筐体等の震動を抑えて上記騒音の発生を抑制している。
【００１７】
据付装置１０の左右の下端コーナ部１５は、円弧状に形成されている。これは、冷媒配管穴６に図示しない冷媒配管を通した際に、当該冷媒配管が据付装置１０に当らないようにするためである。なお、この下端コーナ部１５近傍に第１マーク１６が形成されている。
【００１８】
さらに、据付装置１０の左右側端部近傍には、概略「コ」字状に切込１７が形成されてなる舌状片１８が設けられている。そして、この舌状片１８の据付装置１０中央側には爪係合部２１が設けられると共に、所定位置に第２マーク２０が形成されている。
【００１９】
舌状片１８は後述するように、連結部（一点鎖線で示す）１９で幅方向に折曲げて使用される。その際、爪係合部２１に爪や指をかけることにより舌状片１８を起し易くなっている。
【００２０】
第１マーク１６と第２マーク２０とによりマーク部が構成され、これらは打抜きや刻印等により容易に消えたり位置ずれしたりしない方法で形成され、以下のような意味を持っている。
【００２１】
即ち、室内機５と図示しない室外機とは、冷媒配管を介して冷媒が循環するようになっており、これらには冷媒配管との接続口をなす配管接続部（図示しない）が設けられている。
【００２２】
そして、第１マーク１６は据付装置１０に室内機５を取付けた際に、当該室内機５の配管接続部の高さ位置を示すようになっている。また第２マーク２０は、舌状片１８を連結部１９で幅方向に折曲げた際に、配管接続部の横位置を示すようになっている。
【００２３】
ところで、舌状片１８及びマーク部が左右に設けられているのは、冷媒配管穴６を室内機５の左右いずれの場所にも設けることができるようにして、据付装置１０の汎用化を図り、コストダウンを可能にするためである。
【００２４】
従って、冷媒配管穴６が室内機５の左右いずれか一方にしか設けないような場合には、これらもいずれか一方にのみ設ければよいことはいうまでもない。
【００２５】
なお、図１及び図３に示すように、第２マーク２０の位置が左右非対称となっている。これは以下の理由による。
【００２６】
即ち、一般に室内機５の配管接続部は、図１及び図３の図面に対して右側端部近傍に設けられている。また、冷媒配管は適度にフレキシブルな部材により構成されているが、急激に曲げたりすると管が折れたり、潰れたりする。
【００２７】
従って、室内機５の右側に冷媒配管穴６を形成するような場合には、配管接続部の位置に冷媒配管穴６を形成して、冷媒配管の曲りをなくす方が好ましい。
【００２８】
しかし、例えば配管接続部に対応する外壁の位置に障害物があるような場合等のように室外側の状況によっては、室内機５の右側に冷媒配管穴６を形成することができない場合がある。
【００２９】
このような場合には、室内機５の左側に冷媒配管穴６を形成することになる。このとき、冷媒配管と配管接続部との接続位置が冷媒配管穴６にかからないようにするためにはできるだけ当該冷媒配管穴６の形成位置を左側にすることが好ましい。
【００３０】
また、冷媒配管は室内機５と据付装置１０との間を這って配設されて冷媒配管穴６から室外に配管される。無論、冷媒接続管等により室内機５が据付装置１０から浮上がらないようにされることは言うまでもない。
【００３１】
このとき、室内機５の背面側の空間Ｋ（図２参照）で冷媒配管をゆっくり曲げて冷媒配管穴６に配管することができれば、冷媒配管穴６を左右対称に形成することが可能になる。
【００３２】
しかし、室内機５と据付装置１０とは室内機背宛Ｐの所で接触しているので、上記空間Ｋの所で冷媒配管をゆっくり曲げて配管することができない。
【００３３】
従って、室内機背宛Ｐのない所で冷媒配管を曲げる必要が生じ、そのためにも冷媒配管穴６の位置を左側にずらしている。
【００３４】
次に、このような構成の据付装置１０を用いて、室内機５を据付ける手順を説明する。
【００３５】
先ず、冷媒配管穴６を形成する方向の舌状片１８を連結部１９で折曲げて、その状態で据付装置１０を仮止めする。
【００３６】
仮止位置は、折曲げた舌状片１８の幅方向先端が横壁３から約８０ｍｍ離れ、また上係合片１１が天井から約５０ｍｍ離れるような位置とし、その位置に据付装置１０を押し当て、仮止穴１３の位置をマークする。
【００３７】
なお、舌状片１８の幅方向先端が横壁３から約８０ｍｍ離れた位置としたのは、舌状片１８の幅方向先端が対向する室内機５の側端と約３０ｍｍ離れているとし、室内機５を取付ける際に、当該室内機５と横壁３との距離を５０ｍｍ確保して室内機５が手で持てるようにするためである。
【００３８】
従って、室内機５の大きさ、即ち舌状片１８の幅方向先端と対向する室内機５の側端との距離に応じて上記寸法を設定する必要がある。
【００３９】
一方、上係合片１１が天井から約５０ｍｍ離れるようにしたのは、この上係合片１１に係合部材７が上から填り込む構成なので、少なくともこの係合部材７が入る大きさを確保するためである。
【００４０】
また、近年の室内機５は小型化が進み、図２からもわかるように、室内空気を吸込む吸気口が室内機５の正面ばかりではなく上面にも形成されるようになっている。従って、この上面が天井に近づきすぎると吸気効率が低下するので、これを避ける意味から寸法を大きめに設定している。無論、上面に吸気口が設けられていないような場合には、これを考慮する必要が無いことはいうまでもない。
【００４１】
このようにして、仮止穴１３の位置をマークした後、一旦据付装置１０を降ろし、マーク位置にネジや釘を打込む。その際、ネジや釘の頭部が所定量飛出した状態にしておき、この頭部に仮止穴１３を挿入して据付装置１０を吊下げる。
【００４２】
仮止穴１３は据付装置１０の鉛直中央線上に形成されているので、作業者が据付装置１０から手を離しても左右のバランスを略保つことができる。そこで、ネジ等により据付装置１０を固定する。
【００４３】
その後、第１マーク１６の方向と第２マーク２０の方向との交点に冷媒配管穴６を形成し、冷媒配管と配管接続部とを連結して室内機５を据付装置１０に固定する。
【００４４】
【発明の効果】
以上説明したように請求項１にかかる発明によれば、冷媒配管穴の高さ方向形成位置を示す第１マーク及び横方向形成位置を示す第２マークからなるマーク部と、幅方向に折曲げ可能に形成された舌状片とを設け、かつ、該舌状片に第２マークを形成し、かつ、据付装置が、室内機より小さく形成されると共に、舌状片を幅方向に折曲げた際には、当該舌状片の幅方向先端が室内機より所定量小さくなるように形成したので、当該舌状片を幅方向に折曲げることにより第１マークが示す方向と第２マークが示す方向との交点が冷媒配管穴の形成位置を示すようになり、据付装置の大きさを必要最小限の大きさにすることができ、またスケール等を用いなくても冷媒配管穴の位置決めが容易にできるようになって、コスト低減及び作業性の向上が可能になる。
【００４６】
請求項２にかかる発明は，マーク部及び舌状片を据付装置の左右側端部近傍に設け、かつ、第２マークを左右非対称に形成したので、冷媒配管穴の位置を室内機に対して左右いずれの位置にも形成できるようになり、据付装置の汎用性が高まると共に、スケール等を用いなくても冷媒配管穴の位置決めが容易にできるようになり、かつ、当該据付装置を必要最小限の大きさにすることが可能になって、コスト低減及び作業性の向上が可能になる。
【００４７】
請求項３にかかる発明によれば、据付装置の鉛直中央線上に仮止穴を形成したので、据付装置の固定作業が容易になる。
【図面の簡単な説明】
【図１】本発明にかかる壁掛型空気調和機の据付装置の正面図である。
【図２】図１の据付装置を用いて室内機を壁に据付けた際の断面図である。
【図３】冷媒配管穴の位置決方法を示す図である。
【符号の説明】
２  壁
３  横壁
５  室内機
６  冷媒配管穴
１０  据付装置
１３  仮止穴
１６  第１マーク
１７  切込
１８  舌状片
２０  第２マーク
２１  爪係合部
【図１】
0003913370.tif 000002
【図２】
0003913370.tif 000003
【図３】
0003913370.tif 000004